(57)【要約】【課題】機器の載置状態、電源供給状態、及び断片化率を勘案して（これらの条件が満たされた状態で）、デフラグを自動実行し、記録媒体の破損及びバッテリ消耗を防ぐと同時に、ユーザーの利便性も確保することができる記録装置、記録方法及び記録システムを提供する。【解決手段】映像及び音声などの情報信号を記録するＨＤＤなどの記録媒体を有した記録装置であって、記録装置を電源供給源であるクレードルへ接続したことが検出され、前記電源供給源から当該記録装置へ常時電源が供給されていることが検出され、且つ前記記録媒体に記録された情報信号の断片化率が所定値以上になったことが検出されときに、前記記録媒体に対してデフラグを自動実行することにより、振動によるの記録媒体の破損およびバッテリ消耗を防ぐことができる。【選択図】  図１
2005242717.tif 000002
【特許請求の範囲】
【請求項１】
情報信号を記録する記録媒体と、
当該記録装置を電源供給源へ接続したことを検出する第１の検出手段と、
前記電源供給源から当該記録装置へ常時電源が供給されていることを検出する第２の検出手段と、
前記記録媒体に記録された情報信号の断片化率が所定値以上になったことを検出する第３の検出手段と、
前記第１の検出手段によって前記電源供給源への接続が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、
を具備したことを特徴とする記録装置。
【請求項２】
情報信号を記録する記録媒体と、
当該記録装置を電源供給源へ接続したことを検出する第１の検出手段と、
前記電源供給源から常時電源が供給されている状態を検出する第２の検出手段と、
前記記録媒体に記録された情報信号の断片化率が所定値以上になったことを検出する第３の検出手段と、
当該記録装置が振動を受けない安定した状態であることを検出する振動センサーと、
前記第１の検出手段によって前記電源供給源への接続が検出され、前記第２の検出手段によって前記常時電源が確保された状態が検出され、前記振動センサーにて一定時間振動がない状態であることが検出され、且つ前記第３の検出手段によって前記記録媒体の断片化率が所定値以上になったことが検出されたときに、前記記録媒体に対してデフラグを自動実行するデフラグ自動実行手段と、
を具備したことを特徴とする記録装置。
【請求項３】
情報信号を記録する記録媒体と、
当該記録装置を電源供給源へ接続したことを検出する第１の検出手段と、
前記記録媒体に対するデフラグの自動実行を有効とするか無効とするかを設定する設定手段と、
前記電源供給源から常時電源が供給されている状態を検出する第２の検出手段と、
前記記録媒体に記録された情報信号の断片化率が所定値以上になったことを検出する第３の検出手段と、
前記設定手段にてデフラグの自動実行が有効にされている状態で、前記第１の検出手段によって前記電源供給源への接続が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、
前記設定手段にてデフラグの自動実行が無効にされている状態で、前記第１の検出手段によって前記電源供給源への接続が検出され、前記第２の検出手段によって前記常時電源が確保された状態が検出され、且つ前記第３の検出手段によって前記記録媒体の断片化率が所定値以上になったことが検出されたときに、デフラグの手動実行を促すべく警告メッセージを発する手段と、
を具備したことを特徴とする記録装置。
【請求項４】
内蔵二次電池と、
デフラグ実行中に常時電源が切断、または当該記録装置が前記電源供給源から外されたことを検出する検出手段と、
この検出手段にて常時電源が切断、または本体がクレードルから外されたことが検出された場合、前記内蔵二次電池からの電源供給に切り替える切替手段と、
この切替手段にて前記内蔵二次電池からの電源供給に切り替わった際に、デフラグ終了処理を行って終了させる終了手段と、
この終了手段にてデフラグを終了した後に、当該記録装置が前記電源供給源に接続され常時電源が確保されたことを検出する検出手段と、
この検出手段にて前記電源供給源に接続され常時電源が確保されたことを検出したときに、続きのデフラグを実行させるように制御する制御手段と、
をさらに具備したことを特徴とする請求項１乃至３のいずれか１つに記載の記録装置。
【請求項５】
情報信号を記録する記録媒体と、
充電可能な電池と、
前記電池が充電中であることを検出する第１の検出手段と、
前記記録媒体に記録された情報信号の断片化率が所定値以上になったことを検出する第２の検出手段と、
前記第１の検出手段によって充電中であることが検出され、且つ前記第２の検出手段によって前記記録媒体の断片化率が所定値以上になったことが検出されたときに、前記記録媒体に対してデフラグを自動実行するデフラグ自動実行手段と、
を具備したことを特徴とする記録装置。
【請求項６】
記録媒体を有した記録装置の前記記録媒体に記録された情報信号の断片化を解消する記録装置の記録方法であって、
記録装置を電源供給源へ接続したことを検出する第１の検出ステップと、
前記電源供給源から当該記録装置へ常時電源が供給されていることを検出する第２の検出ステップと、
記録媒体に記録された情報信号の断片化率が所定値以上になったことを検出する第３の検出ステップと、
前記第１の検出ステップによって前記電源供給源への接続が検出され、前記第２の検出ステップによって前記常時電源が確保された状態が検出され、且つ前記第３の検出ステップによって前記記録媒体の断片化率が所定値以上になったことが検出されたときに、前記記録媒体に対してデフラグを自動実行するデフラグ自動実行ステップと、
を具備したことを特徴とする記録方法。
【請求項７】
記録媒体と充電可能な電池とを有した記録装置の前記記録媒体に記録された情報信号の断片化を解消する記録装置の記録方法であって、
前記電池が充電中であることを検出する第１の検出手段と、
前記記録媒体に記録された情報信号の断片化率が所定値以上になったことを検出する第２の検出手段と、
前記第１の検出手段によって充電中であることが検出され、且つ前記第２の検出手段によって前記記録媒体の断片化率が所定値以上になったことが検出されたときに、前記記録媒体に対してデフラグを自動実行するデフラグ自動実行ステップと、
を具備したことを特徴とする記録方法。
【請求項８】
記録媒体内蔵の携帯機器を載置することによって該携帯機器に電源を供給可能なクレードルと、
前記携帯機器に設けられ、当該携帯機器が前記クレードルに載置されたことを検出する第１の検出手段と、
前記携帯機器に設けられ、前記クレードルから当該携帯機器へ常時電源が供給されていることを検出する第２の検出手段と、
前記携帯機器に設けられ、前記記録媒体に記録された情報信号の断片化率が所定値以上になったことを検出する第３の検出手段と、
前記第１の検出手段によって前記クレードルへの載置が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、
を具備したことを特徴とする記録システム。
【請求項９】
記録媒体内蔵の携帯機器を載置することによって該携帯機器に電源を供給可能なクレードルと、
前記携帯機器に設けられ、当該携帯機器が前記クレードルに載置されたことを検出する第１の検出手段と、
前記携帯機器に設けられ、前記クレードルから当該携帯機器へ常時電源が供給されていることを検出する第２の検出手段と、
前記携帯機器に設けられ、前記記録媒体に記録された情報信号の断片化率が所定値以上になったことを検出する第３の検出手段と、
前記携帯機器に設けられ、当該記録装置が振動を受けない安定した状態であることを検出する振動センサーと、
前記第１の検出手段によって前記クレードルへの載置が検出され、前記第２の検出手段によって前記常時電源が確保された状態が検出され、前記振動センサーにて一定時間振動がない状態であることが検出され、且つ前記第３の検出手段によって前記記録媒体の断片化率が所定値以上になったことが検出されたときに、前記記録媒体に対してデフラグを自動実行するデフラグ自動実行手段と、
を具備したことを特徴とする記録システム。
【請求項１０】
記録媒体内蔵の携帯機器を載置することによって該携帯機器に電源を供給可能なクレードルと、
前記携帯機器に設けられ、当該携帯機器が前記クレードルに載置されたことを検出する第１の検出手段と、
前記記録媒体に対するデフラグの自動実行を有効とするか無効とするかを設定可能な設定手段と、
前記携帯機器に設けられ、前記クレードルから当該携帯機器へ常時電源が供給されていることを検出する第２の検出手段と、
前記携帯機器に設けられ、前記記録媒体に記録された情報信号の断片化率が所定値以上になったことを検出する第３の検出手段と、
前記設定手段にてデフラグの自動実行が有効にされている状態で、前記第１の検出手段によって前記クレードルへの載置が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、
前記設定手段にてデフラグの自動実行が無効にされている状態で、前記第１の検出手段によって前記クレードルへの載置が検出され、前記第２の検出手段によって前記常時電源が確保された状態が検出され、且つ前記第３の検出手段によって前記記録媒体の断片化率が所定値以上になったことが検出されたときに、デフラグの手動実行を促すべく警告メッセージを発する手段と、
を具備したことを特徴とする記録システム。
【発明の詳細な説明】
【技術分野】
【０００１】
この発明は、ＨＤＤのような記録媒体を内蔵した記録装置、その記録方法及び記録システムに係り、ＨＤＤの破損及びバッテリ消耗を防いで、ＨＤＤの空き領域の断片化解消(デフラグ)を図ることが可能な記録装置、記録方法及び記録システムに関する。  
【背景技術】
【０００２】
一般に、パーソナルコンピュータや映像記録再生機器の記録媒体であるＨＤＤ（ハードディスクドライブ、Hard Disk Driveの略）などの記録媒体では、データの記録と削除を繰り返すと、データが連続した記録領域に記録されず、記録可能な空き領域が断片化(フラグメーション)されていく。記録と削除を繰り返せば繰り返すほど細かく断片化される。断片化が進むと、ＯＳ（オペレーティングシステム、Operating Systemの略）の処理量の増大やドライブのヘッドの移動量の増大を招き、読み書き速度の低下につながる。
【０００３】
一方、ＨＤＤの小型化が進み、ポータブル機器への搭載も進んでいる。一般に、ＨＤＤは小型になるほど高い転送レートを確保することが困難になるが、その一方で映像のリアルタイム記録など、高いパフォーマンスが要求されるアプリケーションが増えている。このような機器においてパフォーマンス低下の原因となる断片化を解消することは必須である。
【０００４】
先行例としては、例えば特許文献１のように、移動体の走行振動や機械振動などが記録媒体に影響を与えない状態を判断してデフラグを実行することが可能な情報記録再生装置が提案されている。
【特許文献１】特開２００１−２３６７１７号公報
【発明の開示】
【発明が解決しようとする課題】
【０００５】
従来、断片化解消(デフラグ)は、ユーザーが手動で専用ツールを用いて実施したり、ＨＤＤをフォーマットすることで実現していた。この方法は、ユーザーにとって利便性が良いとは言い難く、また手動のためＨＤＤの断片化率を常に一定以下に保つのは困難である。
【０００６】
上記の点を考慮すると、自動的にデフラグを実行することが望ましい。例えばパーソナルコンピュータでは、ユーザ操作により、或いは、予め設定された時間間隔でデフラグプログラムが自動的に起動して、断片化された空き領域を自動的に連続化する方法が知られている。
【０００７】
デフラグ動作中は、ヘッドは常時ディスク上にあってディスクに対して読込み／書込みを繰り返し、そのため消費電力が増大する問題も生じる。従って、携帯機器の場合、周囲の状況に関係なく動作させると、下記のような問題点がある。  
第１に、振動によるＨＤＤ破損の可能性があること、第２に、バッテリの消耗が大きいことである。
【０００８】
特許文献１は、「自動車、列車などの車両移動体に装着」した情報記録再生装置のデフラグに関するものであり、携帯型機器を対象としたものではない。従って、電源供給源については触れておらず、バッテリの消耗を防ぐ手段などついては記載されていない。
【０００９】
そこで、本発明は、上記の問題に鑑み、機器の載置状態、電源供給状態、及び断片化率を勘案して（これらの条件が満たされた状態で）、デフラグを自動実行し、記録媒体の破損及びバッテリ消耗を防ぐと同時に、ユーザーの利便性も確保することができる記録装置、記録方法及び記録システムを提供することを目的とする。
【課題を解決するための手段】
【００１０】
本発明による第１の記録装置は、
情報信号を記録する記録媒体と、
当該記録装置を電源供給源へ接続したことを検出する第１の検出手段と、
前記電源供給源から当該記録装置へ常時電源が供給されていることを検出する第２の検出手段と、
前記記録媒体に記録された情報信号の断片化率が所定値以上になったことを検出する第３の検出手段と、
前記第１の検出手段によって前記電源供給源への接続が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、を具備したものである。
【００１１】
本発明による第２の記録装置は、
情報信号を記録する記録媒体と、
当該記録装置を電源供給源へ接続したことを検出する第１の検出手段と、
前記電源供給源から常時電源が供給されている状態を検出する第２の検出手段と、
前記記録媒体に記録された情報信号の断片化率が所定値以上になったことを検出する第３の検出手段と、
当該記録装置が振動を受けない安定した状態であることを検出する振動センサーと、
前記第１の検出手段によって前記電源供給源への接続が検出され、前記第２の検出手段によって前記常時電源が確保された状態が検出され、前記振動センサーにて一定時間振動がない状態であることが検出され、且つ前記第３の検出手段によって前記記録媒体の断片化率が所定値以上になったことが検出されたときに、前記記録媒体に対してデフラグを自動実行するデフラグ自動実行手段と、を具備したものである。
【００１２】
本発明による第３の記録装置は、
情報信号を記録する記録媒体と、
当該記録装置を電源供給源へ接続したことを検出する第１の検出手段と、
前記記録媒体に対するデフラグの自動実行を有効とするか無効とするかを設定する設定手段と、
前記電源供給源から常時電源が供給されている状態を検出する第２の検出手段と、
前記記録媒体に記録された情報信号の断片化率が所定値以上になったことを検出する第３の検出手段と、
前記設定手段にてデフラグの自動実行が有効にされている状態で、前記第１の検出手段によって前記電源供給源への接続が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、
前記設定手段にてデフラグの自動実行が無効にされている状態で、前記第１の検出手段によって前記電源供給源への接続が検出され、前記第２の検出手段によって前記常時電源が確保された状態が検出され、且つ前記第３の検出手段によって前記記録媒体の断片化率が所定値以上になったことが検出されたときに、デフラグの手動実行を促すべく警告メッセージを発する手段と、を具備したものである。
【００１３】
本発明の第４の記録装置は、第１乃至３のいずれかの記録装置において、
内蔵二次電池と、
デフラグ実行中に常時電源が切断、または当該記録装置が前記電源供給源から外されたことを検出する検出手段と、
この検出手段にて常時電源が切断、または本体がクレードルから外されたことが検出された場合、前記内蔵二次電池からの電源供給に切り替える切替手段と、
この切替手段にて前記内蔵二次電池からの電源供給に切り替わった際に、デフラグ終了処理を行って終了させる終了手段と、
この終了手段にてデフラグを終了した後に、当該記録装置が前記電源供給源に接続され常時電源が確保されたことを検出する検出手段と、
この検出手段にて前記電源供給源に接続され常時電源が確保されたことを検出したときに、続きのデフラグを実行させるように制御する制御手段と、をさらに具備したことを特徴とする。
【００１４】
本発明による第５の記録装置は、
情報信号を記録する記録媒体と、
充電可能な電池と、
前記電池が充電中であることを検出する第１の検出手段と、
前記記録媒体に記録された情報信号の断片化率が所定値以上になったことを検出する第２の検出手段と、
前記第１の検出手段によって充電中であることが検出され、且つ前記第２の検出手段によって前記記録媒体の断片化率が所定値以上になったことが検出されたときに、前記記録媒体に対してデフラグを自動実行するデフラグ自動実行手段と、を具備したものである。
【００１５】
本発明による第１の記録方法は、
記録媒体を有した記録装置の前記記録媒体に記録された情報信号の断片化を解消する記録装置の記録方法であって、
記録装置を電源供給源へ接続したことを検出する第１の検出ステップと、
前記電源供給源から当該記録装置へ常時電源が供給されていることを検出する第２の検出ステップと、
記録媒体に記録された情報信号の断片化率が所定値以上になったことを検出する第３の検出ステップと、
前記第１の検出ステップによって前記電源供給源への接続が検出され、前記第２の検出ステップによって前記常時電源が確保された状態が検出され、且つ前記第３の検出ステップによって前記記録媒体の断片化率が所定値以上になったことが検出されたときに、前記記録媒体に対してデフラグを自動実行するデフラグ自動実行ステップと、を具備したものである。
【００１６】
本発明による第２の記録方法は、  
記録媒体と充電可能な電池とを有した記録装置の前記記録媒体に記録された情報信号の断片化を解消する記録装置の記録方法であって、
前記電池が充電中であることを検出する第１の検出手段と、
前記記録媒体に記録された情報信号の断片化率が所定値以上になったことを検出する第２の検出手段と、
前記第１の検出手段によって充電中であることが検出され、且つ前記第２の検出手段によって前記記録媒体の断片化率が所定値以上になったことが検出されたときに、前記記録媒体に対してデフラグを自動実行するデフラグ自動実行ステップと、を具備したものである。
【００１７】
本発明による第１の記録システムは、
記録媒体内蔵の携帯機器を載置することによって該携帯機器に電源を供給可能なクレードルと、
前記携帯機器に設けられ、当該携帯機器が前記クレードルに載置されたことを検出する第１の検出手段と、
前記携帯機器に設けられ、前記クレードルから当該携帯機器へ常時電源が供給されていることを検出する第２の検出手段と、
前記携帯機器に設けられ、前記記録媒体に記録された情報信号の断片化率が所定値以上になったことを検出する第３の検出手段と、
前記第１の検出手段によって前記クレードルへの載置が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、を具備したものである。
【００１８】
本発明による第２の記録システムは、
記録媒体内蔵の携帯機器を載置することによって該携帯機器に電源を供給可能なクレードルと、
前記携帯機器に設けられ、当該携帯機器が前記クレードルに載置されたことを検出する第１の検出手段と、
前記携帯機器に設けられ、前記クレードルから当該携帯機器へ常時電源が供給されていることを検出する第２の検出手段と、
前記携帯機器に設けられ、前記記録媒体に記録された情報信号の断片化率が所定値以上になったことを検出する第３の検出手段と、
前記携帯機器に設けられ、当該記録装置が振動を受けない安定した状態であることを検出する振動センサーと、
前記第１の検出手段によって前記クレードルへの載置が検出され、前記第２の検出手段によって前記常時電源が確保された状態が検出され、前記振動センサーにて一定時間振動がない状態であることが検出され、且つ前記第３の検出手段によって前記記録媒体の断片化率が所定値以上になったことが検出されたときに、前記記録媒体に対してデフラグを自動実行するデフラグ自動実行手段と、を具備したものである。
【００１９】
本発明による第３の記録システムは、
記録媒体内蔵の携帯機器を載置することによって該携帯機器に電源を供給可能なクレードルと、
前記携帯機器に設けられ、当該携帯機器が前記クレードルに載置されたことを検出する第１の検出手段と、
前記記録媒体に対するデフラグの自動実行を有効とするか無効とするかを設定可能な設定手段と、
前記携帯機器に設けられ、前記クレードルから当該携帯機器へ常時電源が供給されていることを検出する第２の検出手段と、
前記携帯機器に設けられ、前記記録媒体に記録された情報信号の断片化率が所定値以上になったことを検出する第３の検出手段と、
前記設定手段にてデフラグの自動実行が有効にされている状態で、前記第１の検出手段によって前記クレードルへの載置が検出され、前記第２の検出手段によって前記常時電源が確保された状態が検出され、且つ前記第３の検出手段によって前記記録媒体の断片化率が所定値以上になったことが検出されたときに、前記記録媒体に対してデフラグを自動実行するデフラグ自動実行手段と、
前記設定手段にてデフラグの自動実行が無効にされている状態で、前記第１の検出手段によって前記クレードルへの載置が検出され、前記第２の検出手段によって前記常時電源が確保された状態が検出され、且つ前記第３の検出手段によって前記記録媒体の断片化率が所定値以上になったことが検出されたときに、デフラグの手動実行を促すべく警告メッセージを発する手段と、を具備したものである。
【発明の効果】
【００２０】
本発明によれば、機器の載置状態、電源供給状態、及び断片化率を勘案して（の条件が満たされた状態で）、デフラグを自動実行し、記録媒体の破損及びバッテリ消耗も防ぐと同時にユーザーの利便性を確保することができる。
【発明を実施するための最良の形態】
【００２１】
発明の実施の形態について図面を参照して説明する。
【実施例１】
【００２２】
図１は本発明の実施例１の記録システム及び記録装置の構成を示すブロック図である。記録装置としてＨＤＤ内蔵カメラ付き携帯電話機を例に説明する。
【００２３】
図１に示すように、記録システム１は、記録装置としての携帯電話機本体２と、携帯電話機本体２に対して電波を送受信するアンテナ３と、携帯電話機本体２を載置するクレードル４と、クレードル４に常時電源を供給する常時電源部５と、を具備している。
【００２４】
記録装置としての携帯電話機本体２は、ＬＮＡ（低雑音増幅器、Low Noise Amplifierの略）１１とダウンコンバータ１２で構成される受信部と、ＰＡ（電力増幅器、Power Amplifierの略）１３とアップコンバータ１４で構成される送信部と、ベースバンドコントローラ１５と、音声処理部１６と、スピーカ１７と、マイク１８と、撮影レンズ１９と、固体撮像素子としてのＣＣＤ及びそのドライバ２０と、映像信号処理部２１と、ＬＣＤパネルなどの表示部２２と、外部映像機器への映像信号入出力を可能とする周辺インターフェース２３と、ＣＣＤやマイクで撮像及び入力した映像信号及び音声信号を記録する記録媒体としてのハードディスクドライブ（ＨＤＤ）２４と、自動実行デフラグと手動実行デフラグを切替可能に設定する設定のほか各種の設定や、電源投入及び撮影起動を含む各種の動作指示を行う操作手段としての入力手段２５と、マイクロコンピュータなどで構成される制御部２６と、携帯電話機本体２のクレードル４への載置を検出するクレードル検出部２７と、クレードル４の電源出力ラインに接続してクレードル４へ供給される常時電源電圧の有無を検出する電源状態判別部２８と、クレードル４の電源出力ラインに接続して内蔵二次電池３０への充電制御を行う充電制御部２９と、内蔵二次電池３０と、を備えている。
【００２５】
ＬＮＡ１１とダウンコンバータ１２で構成される受信部は、アンテナ３を介して携帯電話用周波数帯の電波を受信し、信号に変換する。受信部から出力された信号は、ベースバンドコントローラ１５に入力される。ベースバンドコントローラ１５は、受信した信号にベースバンド処理を施し、音声データを音声処理部１６に出力し、画像データ、文字データ、制御データ等を制御部２６に出力する。また、ベースバンドコントローラ１５は、音声処理部１６から音声データを、制御部２６から文字データ、制御データ等を受け取り、携帯電話用周波数帯の信号に変換してアップコンバータ１４とＰＡ１３とで構成される送信部に出力する。
【００２６】
アップコンバータ１４とＰＡ１３とで構成される送信部は、ベースバンドコントローラ１５から受信した信号を変換し、アンテナ３を介して携帯電話用周波数帯の電波を送信する。音声処理部１６は、ベースバンドコントローラ１５から受け取った音声データを音声信号に変換し、スピーカ１７を駆動して音声を出力する。また、音声処理部１６は、マイク１８から受け取った音声信号を音声データに変換し、ベースバンドコントローラ１５に出力する。
【００２７】
一方、撮影レンズ１９を通った被写体像はＣＣＤ及びそのドライバ２０によってＣＣＤ撮像面に結像され、光電変換されて、映像信号処理部２１に入力される。映像信号処理部２１は、ＣＣＤ撮像信号を表示部２２に表示するための映像信号に処理して、表示部２２，周辺インターフェース２３及びＨＤＤ２４に供給できるようになっている。表示部２２は映像信号を表示し、周辺インターフェース２３は図示しない外部周辺機器に映像信号を供給し，ＨＤＤ２４は映像信号を記録再生することが可能である。
【００２８】
制御部３６は例えばマイクロコンピュータで構成され、ＣＰＵ（演算処理装置）、デフラグ処理実行プログラムやＨＤＤ２４の断片化率を計測処理する処理プログラムを含む各種処理プログラム及びシステムプログラムを格納したＲＯＭ、各回路部の動作時に必要なデータや、自動実行デフラグか手動実行デフラグかの設定を含む各種設定内容を保持しているＲＡＭとを有している。制御部３６は、入力手段２５からの入力信号に基づいて携帯電話機本体２の各部の設定及び動作指示を行う一方、クレードル検出部２７によるクレードル検出の有無、電源状態判別部２８による電源状態判別の良否、及びＨＤＤ２４の断片化率の計測値に基づいて、クレードル検出有り、電源状態判別良、及びＨＤＤ断片化率が一定値以上であると判定したときに、「自動実行デフラグ」が設定されていれば、デフラグ処理実行プログラムを自動実行してデフラグ処理を実行させ、「自動実行デフラグ」が設定されていなければ、警告メッセージを表示部２２に表示させる制御を行なうことが可能となっている。
【００２９】
なお、ＨＤＤ２４への記録時に映像だけでなく、音声も同時に記録できるようになっている。この場合の映像信号処理部２１は音声インターフェース、ＨＤＤインターフェース、表示インターフェース等を備えた高機能ＤＳＰ（デジタルシグナルプロセッサ）で構成される。
【００３０】
図２は携帯電話機本体２と電源供給源としてのクレードル４との結合（接続）状態の検出を行う検出回路の構成を示す図である。
【００３１】
図２示すように、クレードル４の装着部４Ａに対して矢示にて示すように携帯電話機本体２を載置して装着することが可能となっている。
【００３２】
クレードル４の装着部４Ａには、導電体で構成される複数の接続ピンＰ1〜Ｐ4が立設されており、携帯電話機本体２の被装着部には前記接続ピンＰ1〜Ｐ4が嵌入可能な筒状の電気的接続部Ｈ1〜Ｈ4 が配設されている。接続部Ｈ1〜Ｈ4は導電体で形成されている。接続部Ｈ1は携帯電話機本体２の内部電源である内蔵二次電池からの電源ラインＶccに接続しており、接続部Ｈ2は所定の抵抗値を有する抵抗器Ｒを介して携帯電話機本体２の基準電位点に接続する一方制御部２６内のＣＰＵの検出端子（図示せず）に接続している。接続部Ｈ1，Ｈ2に対応する、クレードル側の接続ピンＰ1，Ｐ2は、互いに接続線Ｌ1にて電気的に短絡（ショート）されている。
【００３３】
また、クレードル側の接続ピンＰ3，Ｐ4はそれぞれ、常時電源としてＡＣアダプタ５ａの＋，−出力端子に接続されている。ＡＣアダプタ５ａの入力側には商用交流電源(ＡＣ１００Ｖ) を入力するＡＣプラグ５ｂが接続されている。携帯電話機本体２の被装着部に設けられた筒状の接続部Ｈ3，Ｈ4はそれぞれ、前記接続ピンＰ3，Ｐ4に対応しており、＋接続部Ｈ3はＡＣアダプタ５から出力される直流電圧を入力し該直流電圧を電源状態判別部としてのＡ／Ｄコンバータ２８ａの入力端に供給し、−接続部Ｈ4は携帯電話機本体２の基準電位点に接続されている。Ａ／Ｄコンバータ２８ａは、前記ＡＣアダプタ５ａからの＋直流電圧を一定以上の常時電源として検出するために、該直流電圧(アナログ値)をディジタル値に変換して制御部２６内のＣＰＵの検出端子に供給している。
【００３４】
上記の構成において、クレードル４の装着部４Ａに対して携帯電話機本体２の被装着部を載置したとき、接続ピンＰ1〜Ｐ4はそれぞれ接続部Ｈ1〜Ｈ4に嵌合して互いに導電接続する。接続ピンＰ1，Ｐ2と接続部Ｈ1，Ｈ2の接続によって、直流電源ラインＶｃｃからの内部電源による直流電圧が制御部２６内のＣＰＵに伝えられる。これによって、制御部２６はクレードル４に携帯電話機本体２が載置或いは接続されたことを検出することができる。また、接続ピンＰ3，Ｐ4と接続部Ｈ3，Ｈ4の接続によって、ＡＣアダプタ５ａから常時電源としての直流電圧がＡ／Ｄコンバータ２８ａでディジタル変換されて制御部２６内のＣＰＵに伝えられる。これによって、制御部２６はクレードル４から常時電源が確保されていることを検出することができる。
【００３５】
なお、実際の電源供給方法について説明する。  
ＡＣアダプタ電圧 ＞ 内蔵二次電池電圧 とする。例えば、ＡＣアダプタ電圧：５Ｖ、二次電池電圧：リチウムイオン電池１セルの場合、３．０ 〜４．２Ｖとする。
【００３６】
ＡＣアダプタ５ａの使用時は、Ｉ1の経路で電流が流れる。ＡＣアダプタ電圧より電圧の低い電池３０からは逆流防止ダイオード３１によって電源供給されない。逆流防止ダイオード３２により電池３０側へ電流が逆流することもない。制御部２６は、このときの電圧値（約５Ｖ）をＡ／Ｄコンバータ２８ａで読むことで交流電源（ＡＣ１００Ｖ）からの供給であることを検出する。
【００３７】
内蔵二次電池３０の使用時は、Ｉ2の経路で電流が流れる。制御部２６は、このときの電圧値（４．２Ｖ以下）をＡ／Ｄコンバータ２８ａで読むことで、電池３０からの供給であることを検出する。同時に、制御部２６は電圧値からバッテリ残量も算出する。
【００３８】
図３は、クレードル４に携帯電話機本体２が載置された状態を示してある。
【００３９】
次に、本発明の実施例１のデフラグ処理の動作を、図４を参照して説明する。  
図４は実施例１のデフラグ処理動作のフローチャートを示している。なお、本実施例１では、前述したように、デフラグの自動実行を有効にするか無効にするか（換言すれば、自動実行デフラグにするか、手動実行デフラグにするか）を、入力手段２５と設定プログラムの操作及び実行によって設定できるようになっている。
【００４０】
まず、携帯電話機本体２がクレードル４に接続（載置）されると、本体２のクレードル検出部２７により接続が検出される（ステップＳ1）。さらに、電源状態判別部２８により本体２に対して電源部５によって常時電源が供給されているか否かが検出される（ステップＳ2）。
【００４１】
携帯電話機本体２がクレードル４に接続され、かつ常時電源が存在する場合には、制御部２６を通してＨＤＤ２４の断片化率が一定以上であるか否かがチェックされる（ステップＳ3）。もし、ＨＤＤ２４の断片化率が一定以上であり、かつユーザーが自動実行デフラグを許可（設定）している場合には、自動でデフラグを実行する（ステップＳ4，Ｓ5）。なお、ステップＳ4では、デフラグの自動実行が有効か否かをチェックしていて、デフラグの自動実行が有効な場合にステップＳ5に進むようになっている。こうすることで、振動に弱いＨＤＤ２４を安定した状態で電池を消耗することなくデフラグ実行することができる。また、ユーザーに煩雑な操作を要求することなく、常に断片化率を一定以下に保つことが可能である。
【００４２】
自動でデフラグが実行されることを好まないユーザーは、ステップＳ4において、入力手段２５により自動デフラグを無効に設定する。この場合、断片化率が一定以上になったときに警告メッセージを表示部２２に表示し、手動でデフラグを実行するようユーザーに促す（ステップＳ6）。
【００４３】
なお、手動実行する場合であっても、携帯中にデフラグを実行すると振動によるＨＤＤ破損、バッテリ消耗が問題となる。従って、手動実行する場合にも、クレードル４に載置され常時電源が確保されている状態でのみデフラグを実行できるようすることが望ましい。
【００４４】
本発明の実施例１によれば、クレードル４に置かれた状態で、かつ常時電源が確保された状態を検出してデフラグ実行することで、ＨＤＤ２４が振動により破損することを防ぐことができる。また、バッテリ消耗も防ぐことができる。ユーザーが煩雑な操作をすることなく、常にＨＤＤ２４の断片化率を一定以下に保つことができる。
【００４５】
デフラグ中は常に読み出し／書き込みを繰り返すため消費電力も大きくなるが、常時電源のため安定した電力をＨＤＤ２４に供給することができる。
【実施例２】
【００４６】
図５は本発明の記録システム及び記録装置における、実施例２のデフラグ処理動作のフローチャートを示している。記録システム及び記録装置の構成は図１と同様である。
【００４７】
実施例２は、デフラグ実行中に常時電源が切断、または携帯電話機本体２がクレードル４から外された場合の動作を説明している。、
図５(a)において、まず、デフラグ実行中に、常時電源の供給が切断か、または携帯電話機本体２がクレードル４から外されたか否かを判定し（ステップＳ11）、常時電源の供給が切断か、または携帯電話機本体２がクレードル４から外されたことが検出された場合、ＣＰＵは図示しない切替手段によって内蔵二次電池３０からの電源供給に切り替え（ステップＳ12）、デフラグ終了処理を行い終了する（ステップＳ13）。ステップＳ11で、常時電源が切断、または携帯電話機本体２がクレードル４から外されることがなければ、実行中のデフラグを続行する（ステップＳ14）。
【００４８】
そして、上記ステップＳ13によるデフラグ終了（中断）後、次回、再開するときの動作は図５(b)の通りである。
【００４９】
図５(b)において、まず、携帯電話機本体２がクレードル４に置かれ常時電源が確保されたか否かを判定する（ステップＳ15）。ステップＳ15で、ＣＰＵが、携帯電話機本体２がクレードル４に置かれ常時電源が確保されたことが検出したときは、前回の続きのデフラグを行うように制御する（ステップＳ16）。
【実施例３】
【００５０】
図６は本発明の記録システム及び記録装置における、実施例３のデフラグ処理動作のフローチャートを示している。記録システム及び記録装置の構成は図１と同様である。
【００５１】
実施例３は、クレードルがない携帯機器の場合は、充電中であることを検出して自動デフラグを実行するように制御する場合の動作を説明している。、
図６において、まず、充電中か否かを判定する（ステップＳ21）。充電中であれば、記録媒体であるＨＤＤ２４の断片化率が所定値以上か否かを判定する（ステップＳ22）。ＨＤＤ２４の断片化率が所定値以上であれば、デフラグを実行する（ステップＳ23）。ステップＳ22で、断片化率が所定値より小さければ、デフラグを行わない（ステップＳ23）。
【００５２】
実施例３によれば、充電中にデフラグを実行するので、充電中は比較的安定した状態に置かれているので、携帯中に実行するよりも振動を受ける確率は低く抑えられる。また、充電池（バッテリ）の消耗を防ぐことができる。
【実施例４】
【００５３】
図７は本発明の記録システム及び記録装置における、実施例４のデフラグ処理動作のフローチャートを示している。記録システム及び記録装置の構成は図１と同様である。
【００５４】
実施例４は、クレードル検出及び常時電源検出に加え、携帯電話機本体２が振動を受けない安定した状態であることを確実に検出するため、本体２に振動センサーを追加して設け、その振動センサーの出力を制御部２６のＣＰＵの検出端子に供給し、ＣＰＵにて一定時間振動がない状態を検出する場合の動作を説明している。
【００５５】
図７においては、図１のフローにステップＳ7が追加された以外は、図１のフローチャートと同様である。
【００５６】
まず、携帯電話機本体２がクレードル４に接続（載置）されると、本体２のクレードル検出部２７により接続が検出される（ステップＳ1）。さらに、電源状態判別部２８により本体２に対して電源部５によって常時電源が供給されているか否かが検出される（ステップＳ2）。さらに携帯電話機本体２が振動を受けない安定した状態であるか否かを、振動センサーの出力状態から判定する（ステップＳ7）。
【００５７】
携帯電話機本体２がクレードル４に接続され、常時電源が存在し、かつ振動センサーにて一定時間振動がない状態であることが検出された場合には、制御部２６を通してＨＤＤ２４の断片化率が一定以上であるか否かがチェックされる（ステップＳ3）。もし、ＨＤＤ２４の断片化率が一定以上であり、ユーザーが自動実行デフラグを許可（設定）している場合には、自動でデフラグを実行する（ステップＳ4，Ｓ5）。なお、ステップＳ4では、デフラグの自動実行が有効か否かをチェックしていて、デフラグの自動実行が有効な場合にステップＳ5に進むようになっている。こうすることで、振動に弱いＨＤＤ２４を安定した状態で電池を消耗することなくデフラグ実行することができる。また、ユーザーに煩雑な操作を要求することなく、常に断片化率を一定以下に保つことが可能である。
【００５８】
自動でデフラグが実行されることを好まないユーザーは、図１の場合と同様に、ステップＳ4において、入力手段２５により自動デフラグを無効に設定する。この場合、断片化率が一定以上になったときに警告メッセージを表示部２２に表示し、手動でデフラグを実行するようユーザーに促す（ステップＳ6）。手動実行する場合にも、クレードル４に載置され常時電源が確保され、かつ振動を受けない安定した場合でのみデフラグを実行できる。
【産業上の利用可能性】
【００５９】
本発明は、携帯型機器に限らず、振動を受けやすい環境に置かれたＨＤＤなどの記録媒体を有した記録装置に広く応用することが可能である。
【図面の簡単な説明】
【００６０】
【図１】本発明の実施例１の記録システム及び記録装置の構成を示すブロック図。
【図２】携帯電話機本体と電源供給源としてのクレードルとの結合状態の検出を行う検出回路の構成を示す図。
【図３】クレードルに携帯電話機本体が載置された状態を示す斜視図。
【図４】本発明における、実施例１のデフラグ処理動作のフローチャート。
【図５】本発明の記録システム及び記録装置における、実施例２のデフラグ処理動作のフローチャート。
【図６】本発明の記録システム及び記録装置における、実施例３のデフラグ処理動作のフローチャート。
【図７】本発明の記録システム及び記録装置における、実施例４のデフラグ処理動作のフローチャート。
【符号の説明】
【００６１】
１…記録システム    
２…携帯電話機本体（記録装置）    
４…クレードル（電源供給源）
５…常時電源
２０…ＣＣＤ及びドライバ
２１…映像信号処理部
２４…ＨＤＤ（記録媒体）
２６…制御部
２７…クレードル検出部
２８…電源状態判別部
２９…充電制御部
３０…内蔵二次電池（充電可能な電池）
代理人    弁理士      伊    藤      進 
【図１】
2005242717.tif 000003
【図２】
2005242717.tif 000004
【図３】
2005242717.tif 000005
【図４】
2005242717.tif 000006
【図５】
2005242717.tif 000007
【図６】
2005242717.tif 000008
【図７】
2005242717.tif 000009